(57)【特許請求の範囲】
【請求項１】
複数の位置付けピン（121-1）及び第１の複数の接続凸部（121-2）を有する上圧板（12-1）であって、前記第１の複数の接続凸部（121-2）が当該上圧板（12-1）を位置付け板（12-3）に接続するように構成され、装着のための複数のクラック（121-3）が前記第１の複数の接続凸部（121-2）の傍らに設けられている、上圧板（12-1）と、
保護シート（12-2）と、
前記位置付け板（12-3）であって、前記第１の複数の接続凸部（121-2）を受けるように構成された第１の複数の接続凹溝（123-1）と、当該位置付け板（12-3）の壁部の下端に設けられ且つ当該位置付け板（12-3）を下圧板（12-5）に接続するように構成された第２の複数の接続凸部（123-2）と、前記第２の複数の接続凸部（123-2）の上方にて前記壁部に設けられた複数の貫通孔(123-3)と、を有する位置付け板（12-3）と、
ロート型シールリング（12-4）と、
前記下圧板（12-5）であって、第２の複数の位置付けピン（125-1）と、前記第２の複数の接続凸部（123-2）を受けるように構成された第２の複数の接続凹溝（125-2）とを有する下圧板（12-5）と、
波形シールリング（12-6）とを備え、
前記上圧板（12-1）における前記複数の位置付けピン（121-1）は、前記保護シート（12-2）における取付穴（122-1）と前記波形シールリング（12-6）における取付穴（126-1）を順次に貫通して、前記保護シート（12-2）と前記波形シールリング（12-6）を前記上圧板（12-1）と前記位置付け板（12-3）との間に取り付けることによって、前記上圧板（12-1）を前記保護シート（12-2）及び前記波形シールリング（12-6）に対して固定するように構成され、
前記下圧板（12-5）における前記第２の複数の位置付けピン（125-1）は、ロート型シールリング（12-4）における取付穴（124-1）を貫通して、前記ロート型シールリング（12-4）を前記下圧板（12-5）と前記位置付け板（12-3）との間に固定することによって、前記下圧板（12-5）を前記ロート型シールリング（12-4）に対して固定し、
前記上圧板（12-1）と前記位置付け板（12-3）との間は、前記上圧板（12-1）における前記第１の複数の接続凸部（121-2）が前記位置付け板（12-3）における前記第１の複数の接続凹溝（123-1）に嵌合して、凹凸係合構造が形成されることによって、一体に接続され、
前記下圧板（12-5）と前記位置付け板（12-3）との間は、前記位置付け板（12-3）における前記第２の複数の接続凸部（123-2）が前記下圧板（12-5）における前記第２の複数の接続凹溝（125-2）に嵌合して、凹凸係合構造が形成されることによって、一体に接続される、
径方向シール組立体。
【発明の詳細な説明】
【技術分野】
【０００１】
本発明は、腹腔鏡下外科手術用器械に関し、特に、腹腔鏡下手術に用いる径方向シール組立体、エンドシール及びトロカールに関する。
【背景技術】
【０００２】
腹腔鏡下手術は、益々広く適用されてきている。医原性感染を回避するために、腹腔鏡下手術に用いる使い捨てトロカール（Trocar）の使用量も益々大きくなり、使用性能を保証する上で、構造を簡略化させ、コストを低下させ、性能を向上させるといった成り行きは、既にトロカールの改善の方向になった。
【０００３】
従来技術にかかる径方向シール組立体は、通常、上圧板と、保護シートと、位置付け板と、ロート型シールリングと、下圧板と、波形シールリングとを備える。上圧板における位置付けピンを、保護シートにおける取付穴と波形シールリングにおける取付穴を順次に貫通させて、保護シートと波形シールリングを上圧板と位置付け板との間に取り付ける。下圧板における位置付けピンをロート型シールリングにおける取付穴を貫通させて、ロート型シールリングを下圧板と位置付け板との間に固定する。位置付けピンと取付穴との間の締まり嵌めによって、上圧板と下圧板をそれぞれ位置付け板に固定して接続する。波形シールリングの取付エッジが上圧板と位置付け板との間に圧縮され、ロート型シールリングが下圧板と位置付け板との間に圧縮されるので、シールリングの弾性材料による弾性力の作用で、上圧板又は下圧板は、位置付け板に対して緩みやすくなり、径方向シール組立体にエアリークが生じて、エンドシール、トロカール全体の気密性に影響を与える。したがって、従来技術にかかる径方向シール組立体、エンドシール、トロカールを改善する必要がある。
【発明の概要】
【０００４】
本発明にかかる径方向シール組立体12は、上圧板12-1と、保護シート12-2と、位置付け板12-3と、ロート型シールリング12-4と、下圧板12-5と、波形シールリング12-6とを備え、前記上圧板12-1における位置付けピン121-1は、保護シート12-2における取付穴122-1と波形シールリング12-6における取付穴126-1を順次に貫通して、前記保護シート12-2と前記波形シールリング12-6を上圧板12-1と位置付け板12-3との間に取り付け、前記下圧板12-5における位置付けピン125-1は、ロート型シールリング12-4における取付穴124-1を貫通して、前記ロート型シールリング12-4を前記下圧板12-5と前記位置付け板12-3との間に固定する径方向シール組立体であって、
A.前記上圧板12-1と前記位置付け板12-3との間は、凹凸係合構造によって一体に接続され、
B.前記下圧板12-5と前記位置付け板12-3との間は、凹凸係合構造によって一体に接続される、ことを特徴とする径方向シール組立体である。
【０００５】
前記上圧板12-1と前記位置付け板12-3との間は、凹凸係合構造によって一体に接続されるので、波形シールリング12-6の弾性材料による弾性力の作用を受けても、前記上圧板12-1と前記位置付け板12-3との間は、依然として良好な固定と接続が保持され、緩み、エアリークが生じることはない。同様に、前記下圧板12-5と前記位置付け板12-3との間も、凹凸係合構造によって一体に接続され、ロート型シールリング12-4の弾性材料による弾性力の作用を受けても、前記上圧板12-1と前記位置付け板12-3との間は、依然として良好な固定と接続が保持され、緩み、エアリークが生じることはない。
【０００６】
また、凹凸係合構造の接続方法は、締まり嵌め等の接続方法よりも、組立が便利であり、生産効率を向上させると共に、接続が更に強固になり、緩み、エアリークが一層生じがたく、前記径方向シール組立体12の封止性能をより好適に保証する。凹凸係合の方法では、組立の過程において化学粘着剤を必要とせず、操作過程におけるミスを起こし難く、より安全である。例えば、ゲル粘着の接続方法の場合、粘着剤の塗布の不均一による接続が強固ではない問題を起こしやすい。
【０００７】
更に、前記径方向シール組立体12は、
A.前記上圧板12-1には、位置付け板12-3に接続される少なくとも2つの接続凸部121-2が設けられており、前記接続凸部121-2には、楔形案内面1212-1と位置付け作業面1212-2とが設けられており、
B.前記位置付け板12-3には、上圧板12-1に接続される少なくとも2つの接続凹溝123-1と、下圧板12-5に接続される少なくとも2つの接続凸部123-2とが設けられており、前記接続凸部123-2には、案内面1232-1と位置付け作業面1232-2とが設けられており、
C.前記下圧板12-5には、前記位置付け板12-3に接続される少なくとも2つの接続凹溝125-2が設けられており、
D.前記上圧板12-1における接続凸部121-2は、前記位置付け板12-3における接続凹溝123-1に嵌合され、凹凸係合構造を形成し、前記上圧板12-1と前記位置付け板12-3とを一体に接続し、前記位置付け板12-3における接続凸部123-2は、前記下圧板12-5における接続凹溝125-2に嵌合され、凹凸係合構造を形成し、前記下圧板12-5と前記位置付け板12-3とを一体に接続することをさらに特徴とする。
【０００８】
前記上圧板12-1及び下圧板12-5と、前記位置付け板12-3との間は、少なくとも2つの凹凸係合接続を有し、接続は更に強固で、確実になる。
【０００９】
前記上圧板12-1における接続凸部121-2に楔形案内面1212-1が設けられているので、装着時に、前記接続凸部121-2を、前記位置付け板12-3における接続凹溝123-1内に便利に嵌入することができる。前記接続凸部121-2には、位置付け作業面1212-2が更に設計されており、前記接続凸部121-2が前記位置付け板12-3における接続凹溝123-1に嵌入された後、前記位置付け作業面1212-2は、良好な位置付けの作用を奏し、前記位置付け板12-3における接続凹溝123-1からの前記接続凸部121-2の外れを効果的に防止することができ、接続の強固性を保証する。
【００１０】
前記位置付け板12-3における下圧板12-5に接続される接続凸部123-2に案内面1232-1が設けられているので、装着時に、前記位置付け板12-3における接続凸部123-2を、前記下圧板12-5における接続凹溝125-2に便利に嵌入し、凹凸係合構造を形成することができる。前記位置付け板12-3における下圧板12-5に接続される接続凸部123-2には、位置付け作業面1232-2が更に設計されており、前記接続凸部123-2が前記下圧板12-5における接続凹溝125-2に嵌入された後、前記位置付け作業面1232-2は、前記下圧板12-5における接続凹溝125-2からの前記接続凸部123-2の外れを効果的に防止することができ、接続の強固性を保証する。
【００１１】
更に、前記上圧板12-1には、位置付け板12-3に接続される4つの接続凸部121-2が設けられており、前記位置付け板12-3には、上圧板12-1に接続される4つの接続凹溝123-1と、下圧板12-5に接続される4つの接続凸部123-2とが設けられており、前記下圧板12-5には、前記位置付け板12-3に接続される4つの接続凹溝125-2が設けられている。
【００１２】
このような4穴による位置付けの設計は、各方向における接続の強固性を保証することができ、一方、4穴による位置付けの設計及び装着の過程において、装着の方向を意図的に選択する必要がなく、前記径方向シール組立体12の装着に便利である。
【００１３】
前記位置付け板12-3における接続凸部123-2の上方には貫通孔123-3が設けられている。前記貫通孔123-3の設置は、脱型に便利であると共に、前記接続凸部123-2における抱持力を低下させ、装着時に、前記接続凸部123-2を前記下圧板における接続凹溝125-2内に滑り込ませ、凸凹係合を形成するのに便利である。
【００１４】
通常、前記位置付け板12-3の接続凹溝123-1が位置付け板12-3の内側上端に設けられ、前記位置付け板12-3の接続凸部123-2が位置付け板12-3の内側下端に設けられている。装着時、前記上圧板12-1と前記位置付け板12-3との接続は、前記位置付け板12-3の上部の接続凹溝123-1によって完成され、前記下圧板12-5と前記位置付け板12-3との接続は、前記位置付け板12-3の下部の接続凸部123-2によって完成される。組立の過程において、前記上圧板12-1と前記下圧板12-5の組立は、互いに干渉せず、前記径方向シール組立体12の組立に便利である。
【００１５】
前記上圧板12-1には、装着のためのクラック121-3が設けられている。前記上圧板12-1の接続凸部121-2の傍に前記クラック121-3が設けられているので、組立時に、前記接続凸部121-2は、適宜変形可能であり、前記接続凸部121-2を前記位置付け板の接続凹溝123-1内に滑り込ませて嵌入させ、凹凸係合固定を形成するのに便利である。
【００１６】
本発明は、請求項1に記載の径方向シール組立体12を備えるエンドシール1であるエンドシールを更に含む。
【００１７】
更に、前記エンドシール1は、
A.上蓋11と、押えリング13と、下蓋14と、請求項1に記載の径方向シール組立体12とから構成され、
B.前記径方向シール組立体12及び押えリング13は、上蓋11と下蓋14とからなる空間内に取付けられ、前記径方向シール組立体12における波形シールリング12-6の外縁は、前記下蓋14のシールリブ14-1と前記押えリング13との間に嵌合され、上蓋11によって加締められ、
C.前記上蓋11と下蓋14との間は、溶接、又は粘着、又は締まり嵌め接続、又は凹凸係合構造によって一体に接続される、ことを特徴とする。
【００１８】
更に、前記上蓋11に少なくとも2つの接続凸部11-1が設けられており、前記下蓋14に少なくとも2つの接続凹溝14-2が設けられており、前記上蓋11における接続凸部11-1は、前記下蓋14の接続凹溝14-2に嵌合され、凹凸係合構造を形成し、接続を固定させる。
【００１９】
前記上蓋11と前記下蓋14とは、凹凸係合の接続方法を採用し、装着しやすいと共に、接続の強固性を好適に保証し、エアリークを防止することができる。
【００２０】
更に、前記上蓋11に4つの接続凸部11-1が設けられており、前記下蓋14に4つの接続凹溝14-2が設けられている。このような4つの前記接続凸部11-1と4つの前記接続凹溝14-2は、4つの凹凸係合の接続を形成し、接続の強固性を保証する。
【００２１】
本発明は、請求項1に記載の前記径方向シール組立体12を備えるトロカールを更に含む。
【００２２】
本発明にかかる径方向シール組立体12は、上圧板12-1と、保護シート12-2と、位置付け板12-3と、ロート型シールリング12-4と、下圧板12-5と、波形シールリング12-6とを備える。前記上圧板（12-1）には、前記位置付け板（12-3）に接続される少なくとも2つの接続凸部（121-2）が設けられており、前記下圧板（12-5）には、前記位置付け板（12-3）に接続される少なくとも2つの接続凹溝（125-2）が設けられており、前記位置付け板12-3には、前記上圧板12-1に接続される少なくとも2つの接続凹溝123-1と、前記下圧板12-5に接続される少なくとも2つの接続凸部123-2とが設けられており、前記上圧板12-1と前記位置付け板12-3との間、及び前記下圧板12-5と前記位置付け板12-3との間は、何れも凹凸係合構造によって一体に接続される。組立が便利であり、生産効率が高いと共に、シールリング材料による弾性力に効果的に抗することができ、接続が強固であり、エアリークが生じない。本発明にかかるエンドシール1は、本発明にかかる径方向シール組立体12を備えると共に、前記上蓋11と下蓋14との間も、凹凸係合構造によって一体に接続されている。本発明にかかるトロカールは、本発明にかかる径方向シール組立体12を備え、組立が便利であり、シールリング材料による弾性力に効果的に抗することができ、接続が強固であり、エアリークが生じないといった利点を有する。
【図面の簡単な説明】
【００２３】
【図１】本発明にかかる径方向シール組立体の構造模式図である。
【図２】図1のA-A断面図である。
【図３】本発明にかかる径方向シール組立体の斜視構造模式図である。
【図４】図3の分解図である。
【図５】本発明にかかる径方向シール組立体の上圧板の斜視構造模式図である。
【図５−１】図5の上面図である。
【図５−２】図5-1のB-B断面図である。
【図６】本発明にかかる径方向シール組立体の位置付け板の斜視構造模式図である。
【図６−１】図6の上面図である。
【図６−２】図6-1のC-C断面図である。
【図７】本発明にかかる径方向シール組立体の下圧板の斜視構造模式図である。
【図７−１】図7の下面図である。
【図７−２】図7-1のD-D断面図である。
【図８】本発明にかかるエンドシールの構造模式図である。
【図９】図8のE-E断面図である。
【図１０】本発明にかかるエンドシールの上蓋の斜視構造模式図である。
【図１０−１】図10の上面図である。
【図１０−２】図10-1のF-F断面図である。
【図１１】本発明にかかるエンドシールの押えリングの斜視構造模式図である。
【図１１−１】図11の上面図である。
【図１１−２】図11-1のG-G断面図である。
【図１２】本発明にかかるエンドシールの下蓋の斜視構造模式図である。
【図１２−１】図12の上面図である。
【図１２−２】図12-1のH-H断面図である。
【図１３】本発明にかかるトロカールの上面図である。
【図１４】図13のJ-J断面図である。
【００２４】
前記図面において、
符号100は本発明にかかるトロカールであり、符号101は本発明にかかるトロカールの穿刺ロッドであり、符号102は本発明にかかるトロカールのシース管である。
【００２５】
符号1は本発明にかかるエンドシールであり、符号2は本発明にかかるトロカールのスリーブである。
【００２６】
符号11は上蓋であり、符号12は径方向シール組立体であり、符号13は押えリングであり、符号14は下蓋である。
【００２７】
符号11-1は上蓋における接続凸部である。
【００２８】
符号12-1は上圧板であり、符号12-2は保護シートであり、符号12-3は位置付け板であり、符号12-4はロート型シールリングであり、符号12-5は下圧板であり、符号12-6は波形シールリングである。
【００２９】
符号14-1は下蓋におけるシールリブであり、符号14-2は下蓋における接続凹溝である。
【００３０】
符号121-1は位置付けピンであり、符号121-2は上圧板における位置付け板に接続される接続凸部であり、符号121-3はクラックである。
【００３１】
符号122-1は保護シートにおける取付穴である。
【００３２】
符号123-1は位置付け板における上圧板に接続される接続凹溝であり、符号123-2は位置付け板における下圧板に接続される接続凸部であり、符号123-3は貫通孔である。
【００３３】
符号124-1はロート型シールリングにおける取付穴である。
【００３４】
符号125-1は下圧板における位置付けピンであり、符号125-2は下圧板における位置付け板に接続される接続凹溝である。
【００３５】
符号126-1は波形シールリングにおける取付穴である。
【００３６】
符号1212-1は上圧板における位置付け板に接続される接続凸部の楔形案内面であり、符号1212-2は上圧板における位置付け板に接続される接続凸部の位置付け作業面である。
【００３７】
符号1232-1は位置付け板における下圧板に接続される接続凸部の案内面であり、符号1232-2は位置付け板における下圧板に接続される接続凸部の位置付け作業面である。
【発明を実施するための形態】
【００３８】
実施例1：本発明にかかる径方向シール組立体
図1〜図7-2を参照し、本発明にかかる径方向シール組立体12は、上圧板12-1と、保護シート12-2と、位置付け板12-3と、ロート型シールリング12-4と、下圧板12-5と、波形シールリング12-6とを備える。
【００３９】
図2を参照し、前記上圧板12-1と前記位置付け板12-3との間は、凹凸係合構造によって一体に接続される。
【００４０】
図2を参照し、前記下圧板12-5と前記位置付け板12-3との間は、凹凸係合構造によって一体に接続される。
【００４１】
前記上圧板12-1における位置付けピン121-1は、保護シート12-2における取付穴122-1と波形シールリング12-6における取付穴126-1を順次に貫通して、前記保護シート12-2と前記波形シールリング12-6を上圧板12-1と位置付け板12-3との間に取り付ける。図2、図3及び図4を参照し、前記下圧板12-5における位置付けピン125-1は、ロート型シールリング12-4における取付穴124-1を貫通して、前記ロート型シールリング12-4を前記下圧板12-5と前記位置付け板12-3との間に固定する。
【００４２】
図5〜図5-2を参照し、本実施例において、前記上圧板12-1には、前記位置付け板12-3に接続される4つの接続凸部121-2が設けられており、前記接続凸部121-2には、楔形案内面1212-1と位置付け作業面1212-2とが設けられている。
【００４３】
図6〜図6-2を参照し、前記位置付け板12-3には、前記上圧板12-1に接続される4つの接続凹溝123-1と、前記下圧板12-5に接続される4つの接続凸部123-2とが設けられており、前記接続凸部123-2には、案内面1232-1と位置付け作業面1232-2とが設けられている。
【００４４】
図7〜図7-2を参照し、前記下圧板12-5には、前記位置付け板12-3に接続される4つの接続凹溝125-2が設けられている。
【００４５】
更に、図2を参照し、前記上圧板12-1における接続凸部121-2は、前記位置付け板12-3における接続凹溝123-1に嵌合され、凹凸係合構造を形成し、前記上圧板12-1と前記位置付け板12-3とを一体に接続する。前記位置付け板12-3における接続凸部123-2は、前記下圧板12-5における接続凹溝125-2に嵌合され、凹凸係合構造を形成し、前記下圧板12-5と前記位置付け板12-3とを一体に接続する。
【００４６】
前記上圧板12-1における接続凸部121-2に楔形案内面1212-1が設けられているので、装着時に、前記接続凸部121-2を、前記位置付け板12-3における接続凹溝123-1内に便利に嵌入させることができる。図2を参照し、前記接続凸部121-2には、位置付け作業面1212-2が更に設計されており、前記接続凸部121-2が前記位置付け板12-3における接続凹溝123-1に嵌入された後、前記位置付け作業面1212-2は、好適な固定作用を奏し、前記位置付け板12-3における接続凹溝123-1からの前記接続凸部121-2の外れを効果的に防止することができ、接続の強固性を保証する。
【００４７】
前記位置付け板12-3における下圧板12-5に接続される接続凸部123-2に案内面1232-1が設けられているので、装着時に、前記位置付け板12-3における接続凸部123-2を、前記下圧板12-5における接続凹溝125-2に便利に嵌入させ、凹凸係合構造を形成することができる。図2を参照し、前記前記位置付け板12-3における下圧板12-5に接続される接続凸部123-2には、位置付け作業面1232-2が更に設計されており、前記接続凸部123-2が前記下圧板12-5における接続凹溝125-2に嵌入された後、前記位置付け作業面1232-2は、前記下圧板12-5における接続凹溝125-2からの前記接続凸部123-2の外れを効果的に防止することができ、接続の強固性を保証する。
【００４８】
本実施例において、4つの接続凸部と接続凹溝との凹凸係合の設計を採用した。図1〜図7-2を参照し、このような4穴による位置付けの設計は、各方向における接続の強固性を保証することができ、一方、4穴による位置付けの設計及び装着の過程において、装着の方向を意図的に選択する必要がなく、前記径方向シール組立体12の装着に便利である。
【００４９】
前記位置付け板12-3における接続凸部123-2の上方には貫通孔123-3が設けられている。前記貫通孔123-3の設置は、脱型に便利であると共に、前記接続凸部123-2における抱持力を低下させ、装着時に前記接続凸部123-2を前記下圧板における接続凹溝125-2内に滑り込ませ、凸凹係合を形成するのに便利である。
【００５０】
前記上圧板12-1の接続凸部121-2の傍には、装着のためのクラック121-3が設けられている。図2、図5〜図5-2を参照し、組立時に、前記接続凸部121-2は、適宜変形可能であり、前記接続凸部121-2を前記位置付け板の接続凹溝123-1内に滑り込ませて嵌入させ、凹凸係合固定を形成するのに便利である。
【００５１】
本発明にかかる径方向シール組立体は、組立が便利であり、生産効率が高いと共に、シールリング材料による弾性力に効果的に抗することができ、接続が強固であり、緩むことなく、エアリークが生じない。
【００５２】
実施例2：本発明にかかるエンドシール
本発明にかかるエンドシールは、請求項1に記載の径方向シール組立体12を備える。
【００５３】
本実施例において、前記エンドシール1は、実施例1に記載の径方向シール組立体12を備える。
【００５４】
図8〜図12-2を参照し、前記エンドシール1は、上蓋11と、押えリング13と、下蓋14と、請求項1に記載の径方向シール組立体12とから構成される。
【００５５】
図9を参照し、前記径方向シール組立体12及び押えリング13は、上蓋11と下蓋14とからなる空間内に取り付けられ、前記径方向シール組立体12における波形シールリング12-6の外縁は、前記下蓋14のシールリブ14-1と前記押えリング13との間に嵌合され、上蓋11によって加締められる。
【００５６】
図9を参照し、前記上蓋11と下蓋14との間は、凹凸係合構造によって一体に接続される。
【００５７】
図10〜図10-2を参照し、前記上蓋11には4つの接続凸部11-1が設けられている。図12〜図12-2を参照し、前記下蓋14には4つの接続凹溝14-2が設けられている。図9を参照し、前記上蓋11における接続凸部11-1は、前記下蓋14の接続凹溝14-2に嵌合され、凹凸係合構造を形成し、接続を固定させる。
【００５８】
前記上蓋11と前記下蓋14とは、凹凸係合の接続方法を採用し、装着しやすいと共に、接続の強固性を好適に保証し、エアリークを防止することができる。
【００５９】
本発明に限定される保護範囲を逸脱しない限り、本発明にかかるエンドシール1の前記上蓋11と前記下蓋14との間の接続は、超音波溶接や、粘着、締まり嵌め接続等の方法によって一体に接続されて固定されてもよい。
【００６０】
実施例3：本発明にかかるトロカール
本発明にかかるトロカール100は、請求項1に記載の径方向シール組立体12を備える。
【００６１】
図13〜図14を参照し、本実施例において、前記トロカール100は、実施例1に記載の径方向シール組立体12を備える。前記トロカール100は、穿刺ロッド101とシース管102とから構成され、前記穿刺ロッド101は、前記シース管102内に挿入されている。前記シース管102は、エンドシール1とスリーブ2とから構成され、前記エンドシール1は、前記スリーブ2の近端に取り付けられ、前記エンドシール1は、請求項6に記載のシール件1であり、前記エンドシール1は、請求項1に記載の径方向シール組立体12を備える。
【００６２】
前記トロカール100のエンドシール1の上蓋11には4つの接続凸部11-1が設けられており、前記下蓋14には4つの接続凹溝14-2が設けられている。前記上蓋11における接続凸部11-1は、前記下蓋14の接続凹溝14-2に嵌合され、凹凸係合構造を形成し、接続を固定させ、前記上蓋11と前記下蓋14とを一体に固定する。
【００６３】
前記トロカール100の径方向シール組立体12における上圧板12-1には、位置付け板12-3に接続される4つの接続凸部121-2が設けられており、前記位置付け板12-3には、上圧板12-1に接続される4つの接続凹溝123-1と、下圧板12-5に接続される4つの接続凸部123-2とが設けられており、前記下圧板12-5には、前記位置付け板12-3に接続される4つの接続凹溝125-2が設けられており、前記上圧板12-1における接続凸部121-2は、前記位置付け板12-3における接続凹溝123-1に嵌合され、凹凸係合構造を形成し、前記上圧板12-1と前記位置付け板12-3とを一体に接続し、前記位置付け板12-3における接続凸部123-2は、前記下圧板12-5における接続凹溝125-2に嵌合され、凹凸係合構造を形成し、前記下圧板12-5と前記位置付け板12-3とを一体に接続する。
【００６４】
本発明にかかるトロカール100のエンドシール1の前記上蓋11と前記下蓋14との間、前記径方向シール組立体12の上圧板12-1と前記位置付け板12-3との間、前記径方向シール組立体12の下圧板12-5と前記位置付け板12-3との間は、何れも凹凸係合構造によって接続されて固定されているので、シールリング材料による弾性力に効果的に抗することができ、接続が強固であり、エアリークが生じないと共に、組立が便利であり、生産効率が高い。
【００６５】
本願に開示、説明された構造の替わりに、他の同じ効果の構造を使用可能であり、また、本発明に紹介された実施例は、本発明を実現する唯一の構造ではないことに注意すべきである。本発明の好ましい実施例は、既にここで紹介、説明されたが、これらの実施例が、例示として説明するためのものに過ぎないことは、当業者にとって明らかである。当業者であれば、本発明を逸脱することなく、様々な変更、改善及び置換を行うことができる。したがって、本発明にかかる特許請求の範囲の精神及び範囲によって、本発明の保護範囲を限定すべきである。
【図１】
0006522126.tif 000002
【図２】
0006522126.tif 000003
【図３】
0006522126.tif 000004
【図４】
0006522126.tif 000005
【図５】
0006522126.tif 000006
【図５−１】
0006522126.tif 000007
【図５−２】
0006522126.tif 000008
【図６】
0006522126.tif 000009
【図６−１】
0006522126.tif 000010
【図６−２】
0006522126.tif 000011
【図７】
0006522126.tif 000012
【図７−１】
0006522126.tif 000013
【図７−２】
0006522126.tif 000014
【図８】
0006522126.tif 000015
【図９】
0006522126.tif 000016
【図１０】
0006522126.tif 000017
【図１０−１】
0006522126.tif 000018
【図１０−２】
0006522126.tif 000019
【図１１】
0006522126.tif 000020
【図１１−１】
0006522126.tif 000021
【図１１−２】
0006522126.tif 000022
【図１２】
0006522126.tif 000023
【図１２−１】
0006522126.tif 000024
【図１２−２】
0006522126.tif 000025
【図１３】
0006522126.tif 000026
【図１４】
0006522126.tif 000027